(57)【要約】  高抵抗センサー。センサーは、第１の低抵抗材料および第２の低抵抗材料を含み、それぞれが、ベース材料と接続されている。第１の低抵抗材料および第２の低抵抗材料は、ギャップによって分離されている。刺激は、第１の低抵抗材料および第２の低抵抗が互いに向けて移動することを引き起こす。高抵抗材料は、第１の低抵抗材料および第２の低抵抗材料の中間にギャップの中に位置決めされている。高抵抗材料は、センサーが刺激を受けているときに、第１の低抵抗材料と第２の低抵抗材料との間の接触によって形成された回路の抵抗を増加させる。
2021521451.tif 000002
【特許請求の範囲】
【請求項１】
センサーであって、前記センサーは、
第１のベース材料と；
第２のベース材料と；
前記第１のベース材料と接続されている第１の低抵抗材料と；
前記第２のベース材料と接続されている第２の低抵抗材料であって、前記第２の低抵抗材料は、刺激の下で低抵抗材料に向けて屈曲するためにギャップによって前記第１の低抵抗材料から分離されている、第２の低抵抗材料と；
前記センサーが前記刺激を受けるときに前記第１の低抵抗材料および前記第２の低抵抗材料によって形成された回路の抵抗を増加させるために、前記第１の低抵抗材料および前記第２の低抵抗材料の中間に前記ギャップの中に位置決めされている第１の高抵抗材料と
を含む、センサー。
【請求項２】
前記第１のベース材料は、可撓性になっており、前記刺激は、力を含む、請求項１に記載のセンサー。
【請求項３】
前記第１のベース材料は、温度の変化に応答して変形可能になっており、前記刺激は、温度の変化を含む、請求項１に記載のセンサー。
【請求項４】
前記第１の低抵抗材料は、第１のパターンで前記第１のベース材料と接続されており；
前記第２の低抵抗材料は、第２のパターンで前記第２のベース材料と接続されており；
前記第１のパターンおよび前記第２のパターンは、オーバーラップしていない、請求項１に記載のセンサー。
【請求項５】
前記ギャップは、流体によって充填されている、請求項１に記載のセンサー。
【請求項６】
前記ギャップは、真空シールされている、請求項１に記載のセンサー。
【請求項７】
前記刺激は、張力である、請求項６に記載のセンサー。
【請求項８】
前記第１の高抵抗材料は、前記第１の低抵抗材料と結合されている、請求項１に記載のセンサー。
【請求項９】
第２の高抵抗材料をさらに含む、請求項１に記載のセンサー。
【請求項１０】
前記第１の高抵抗材料および第２の高抵抗材料は、一定の接触をした状態にあり、前記ギャップは、実質的に最小になっている、請求項９に記載のセンサー。
【請求項１１】
前記回路は、前記第１の高抵抗材料と前記第２の高抵抗材料との間の接触によって形成されている、請求項９に記載のセンサー。
【請求項１２】
前記センサーの中への流体の透過を低減させるための保護材料をさらに含む、請求項１に記載のセンサー。
【請求項１３】
前記刺激を方向付けるための前記第１のベース材料に隣接する材料をさらに含む、請求項１に記載のセンサー。
【請求項１４】
前記第１の高抵抗材料は、前記ギャップの中に位置付けされており、前記ギャップは、前記第１の高抵抗材料と前記第１の低抵抗材料との間に画定されている、請求項１に記載のセンサー。
【請求項１５】
刺激をセンシングする方法であって、前記方法は、
ギャップによって第２の低抵抗材料から分離されている第１の低抵抗材料を提供するステップと；
前記ギャップの中に前記第１の低抵抗材料および前記第２の低抵抗材料の中間に第１の高抵抗材料を提供するステップと；
前記第１の低抵抗材料と前記第２の低抵抗材料との間の前記ギャップを閉じるために前記第１の低抵抗材料および前記第２の低抵抗材料に刺激を印加し、前記第１の低抵抗材料、前記第２の低抵抗材料、および前記第１の高抵抗材料を含む回路を生成させるステップと；
前記刺激の結果としての前記回路の電気的な特性の変化を測定するステップと
を含む、方法。
【請求項１６】
前記刺激は、力を含む、請求項１５に記載の方法。
【請求項１７】
前記刺激は、温度の変化を含む、請求項１５に記載の方法。
【請求項１８】
前記方法は、第２の高抵抗材料をさらに含み、前記第１の高抵抗材料および前記第２の高抵抗材料は、一定の接触をした状態にあり、前記ギャップは、実質的に最小になっている、請求項１６に記載の方法。
【請求項１９】
保護層をさらに含む、請求項１５に記載の方法。
【請求項２０】
前記センサーは、前記第１の高抵抗材料に結合されたベース材料をさらに含み、前記刺激を方向付けるための前記ベース材料に隣接する材料をさらに含む、請求項１５に記載のセンサー。
【発明の詳細な説明】
【技術分野】
【０００１】
本開示は、高抵抗センサー、および、そのセンサーを使用する方法に関する。
【背景技術】
【０００２】
印加された力を測定するセンサーは、多くの用途がある。力を感知できるセンサーが、個人にかかる圧力の測定のためのシステムの中で（たとえば、靴の中で、または、病院のマットレスの上などで）使用され得る。多くのそのような力センサー・システムは、力が印加されたときのセンサーの電気的な特質（たとえば、抵抗など）の変化を測定する。
【発明の概要】
【０００３】
本明細書で提供されるのは、高抵抗センサーである。センサーは、ギャップによって分離されている別個の導体または他の低抵抗材料を含む。第１の高抵抗材料は、別個の低抵抗材料の中間にギャップの中に位置決めされている。刺激がセンサーに印加されるときに、低抵抗材料は、高抵抗材料にそれぞれ接触し、高抵抗材料を含む回路を形成する。刺激は、力であることが可能であり、その場合には、ベース材料（高抵抗材料がその上に結合されるかまたはその他の方法で固定される）が屈曲し、低抵抗材料をギャップの中へ方向付け、高抵抗材料および両方の低抵抗材料を含む回路を形成することが可能である。他の場合には、刺激は、温度または任意の他の適切な入力であることが可能であり、それは、屈曲するようにまたはその他の方法で互いに向けて移動するように、低抵抗材料および任意のベース材料を駆動することが可能である。高抵抗材料を含むことは、センサーの電力効率、分解能、および精度の観点から利点を提供することが可能である。
【０００４】
第１の態様において、本明細書で提供されるのは、高抵抗センサーである。センサーは、第１の低抵抗材料および第２の低抵抗材料を含み、それぞれが、ベース材料と接続されている。第１の低抵抗材料および第２の低抵抗材料は、ギャップによって分離されている。刺激は、第１の低抵抗材料および第２の低抵抗が互いに向けて移動することを引き起こす。高抵抗材料は、第１の低抵抗材料および第２の低抵抗材料の中間にギャップの中に位置決めされている。高抵抗材料は、センサーが刺激を受けているときに、第１の低抵抗材料と第２の低抵抗材料との間の接触によって形成された回路の抵抗を増加させる。
【０００５】
さらなる態様において、本明細書で提供されるのは、センサーであって、センサーは、第１のベース材料と；第２のベース材料と；第２のベース材料と接続されている第１の低抵抗材料と；第２のベース材料と接続されている第２の低抵抗材料であって、第２の低抵抗材料は、刺激の下で低抵抗材料に向けて屈曲するためにギャップによって第１の低抵抗材料から分離されている、第２の低抵抗材料と；センサーが刺激を受けるときに第１の低抵抗材料および第２の低抵抗材料によって形成された回路の抵抗を増加させるために、第１の低抵抗材料および第２の低抵抗材料の中間にギャップの中に位置決めされている第１の高抵抗材料とを含む、センサーである。
【０００６】
いくつかの実施形態では、第１のベース材料は、可撓性になっており、刺激は、力を含む。
【０００７】
いくつかの実施形態では、第１のベース材料は、温度の変化に応答して変形可能になっており、刺激は、温度の変化を含む。
【０００８】
いくつかの実施形態では、第１の低抵抗材料は、第１のパターンで第１のベース材料と接続されており；第２の低抵抗材料は、第２のパターンで第２のベース材料と接続されており；第１のパターンおよび第２のパターンは、オーバーラップしていない。
【０００９】
いくつかの実施形態では、ギャップは、流体によって充填されている。
【００１０】
いくつかの実施形態では、ギャップは、真空シールされている。いくつかの実施形態では、刺激は、張力である。
【００１１】
いくつかの実施形態では、第１の高抵抗材料は、第１の低抵抗材料と結合されている。
【００１２】
いくつかの実施形態では、センサーは、第２の高抵抗材料をさらに含む。いくつかの実施形態では、第１の高抵抗材料および第２の高抵抗材料は、一定の接触をした状態にあり、ギャップは、実質的に最小になっている。いくつかの実施形態では、回路は、第１の高抵抗材料と第２の高抵抗材料との間の接触によって形成されている。
【００１３】
いくつかの実施形態では、センサーは、センサーの中への流体の透過を低減させるための保護材料をさらに含む。
【００１４】
いくつかの実施形態では、センサーは、刺激を方向付けるための第１のベース材料に隣接する材料をさらに含む。
【００１５】
いくつかの実施形態では、第１の高抵抗材料は、ギャップの中に位置付けされており、ギャップは、第１の高抵抗材料と第１の低抵抗材料との間に画定されている。
【００１６】
さらなる態様において、本明細書で提供されるのは、刺激をセンシングする方法であって、方法は、ギャップによって第２の低抵抗材料から分離されている第１の低抵抗材料を提供するステップと；ギャップの中に第１の低抵抗材料および第２の低抵抗材料の中間に第１の高抵抗材料を提供するステップと；第１の低抵抗材料と第２の低抵抗材料との間のギャップを閉じるために第１の低抵抗材料および第２の低抵抗材料に刺激を印加し、第１の低抵抗材料、第２の低抵抗材料、および第１の高抵抗材料を含む回路を生成させるステップと；刺激の結果としての回路の電気的な特性の変化を測定するステップとを含む、方法である。
【００１７】
いくつかの実施形態では、刺激は、力を含む。
【００１８】
いくつかの実施形態では、刺激は、温度の変化を含む。
【００１９】
いくつかの実施形態では、方法は、第２の高抵抗材料をさらに含み、第１の高抵抗材料および第２の高抵抗材料は、一定の接触をした状態にあり、ギャップは、実質的に最小になっている。
【００２０】
いくつかの実施形態では、方法は、保護層をさらに含む。
【００２１】
いくつかの実施形態では、方法は、第１の高抵抗材料に結合されたベース材料をさらに含み、刺激を方向付けるためのベース材料に隣接する材料を含む。
【００２２】
本開示の他の態様および特徴は、添付の図と併せて特定の実施形態の以下の説明を検討すると、当業者に明らかになることとなる。
【００２３】
ここで、本開示の実施形態が、添付された図を参照して、単なる例として説明されることとなり、図において、共通の最後の２桁を共有する参照番号は、図を横切って対応する特徴を表している（たとえば、センサー２０、１２０、２２０、３２０、４２０、５２０など）。
【図面の簡単な説明】
【００２４】
【図１】本開示の実施形態による検出システムのブロック・ダイアグラム図である。
【図２】本開示の実施形態によるセンサー・パッケージの概略的な切り欠き図である。
【図３】線３−３に沿った図２のセンサーの概略断面図である。
【図４】軸線３−３に沿ったおよび圧力への露出の間の図２のセンサーの断面図である。
【図５】図１のセンサー・パッケージの中のセンサーの概略的な切り欠き平面図である。
【図６】本開示の実施形態によるセンサーの概略的な切り欠き平面図である。
【図７】本開示の実施形態による、個人の足の足底表面にかかる圧力を測定するためのシステムの概略図である。
【図８】図７のシステムのブロック図である。
【図９】図７のシステムの中に含まれるセンサー・パッケージの概略図である。
【図１０】本開示の実施形態によるセンサーの概略断面図である。
【図１１】本開示の実施形態によるセンサーの概略断面図である。
【図１２】本開示の実施形態によるセンサーの概略断面図である。
【図１３】本開示の実施形態によるセンサーの概略断面図である。
【図１４】本開示の実施形態によるセンサーの概略断面図である。
【図１５】本開示の実施形態によるセンサーの概略断面図である。
【図１６】本開示の実施形態によるセンサーの概略断面図である。
【図１７】圧力への露出の間の図１６のセンサーの概略断面図である。
【図１８】本開示の実施形態によるセンサーの概略断面図である。
【発明を実施するための形態】
【００２５】
概して、本開示は、高抵抗センサーを提供する。高抵抗材料および低抵抗材料の組み合わせは、外部刺激をセンサーに印加するときに電流が流れることができる経路を提供する。センサーは、センサーの中の材料の電気的な特性の変化を検出することが可能である（たとえば、抵抗、コンダクタンス、キャパシタンス、インダクタンスなど）。
【００２６】
力の変化を測定するための以前のシステム、および、そのようなシステムによって提供される信号は、システムの中の電気的なリードを画定するトレースの電気抵抗によって影響を受ける可能性がある。センサーの異なる部分におけるトレース抵抗同士の間の差、または、１つの読み取りと次の読み取りとの差は、電気回路材料の抵抗に対する測定可能な変化を結果として生じさせる可能性がある。トレース抵抗に対する変化は、キャリブレーションドリフト、および、センサーによって検出される信号に対する対応する変化を結果として生じさせる可能性がある。低抵抗センサーだけを含む以前のシステムは、高抵抗センサーを組み込むシステムよりも多くの電流をドレインする可能性がある。より多くの電力を消費することに加えて、より大きい電流の引き込みを必要とするシステムは、より顕著なクロス・チャネル効果を受ける可能性があり、それは、また、報告される測定値の中に誤差を結果として生じさせる可能性がある。クロス・チャネル効果は、近くの導電トレース同士の間で起こる誘導性イベントおよび容量性イベントからの信号ノイズを結果として生じさせる可能性がある。クロス・チャネル効果は、報告される測定値の中に誤差を結果として生じさせる可能性がある。
【００２７】
本明細書で提供されるのは、ギャップによって分離されている２つの導電性層を含む高抵抗センサーである。２つの導電性層は、印加される力の下で互いに接触した状態へと促され得り、または、すでに接触した状態の場合には、より密接な接触へと促され得る。導電性層のそれぞれは、低抵抗材料（たとえば、銅、銀、金、銅、導電性インクなど）および絶縁ベース材料を含む。第１の層は、第１のベース材料および第１の低抵抗材料を含む。第２の層は、第２のベース材料および第２の低抵抗材料を含む。第１のベース材料は、第２のベース材料とは異なる材料から作製され得る。第１の低抵抗材料は、第２の低抵抗とは異なる材料から作製され得る。高抵抗材料（たとえば、導電性材料、半導電性材料、圧電材料、ピエゾ抵抗材料、力センシング材料、力センシング抵抗器、力抵抗インクなど）が、２つの低抵抗材料の間に位置決めされている。低抵抗材料は、ベース材料の上にトレースされるか、ベース材料に結合されるか、または、その他の方法でベース材料に接続され得る。高抵抗材料は、摩擦によって適切な場所に保持されるか、低抵抗材料および／もしくはベース材料の上にトレースされるか、低抵抗材料および／もしくはベース材料に結合されるか、または、その他の方法で低抵抗材料および／もしくはベース材料に接続され得る。印加された力の下で、２つの低抵抗材料は、互いに向けて促され、２つの低抵抗材料の間の高抵抗材料は、信号のための高抵抗経路を提供し、２つの導電性層の間の電気的な連絡を結果として生じさせる。
【００２８】
低抵抗材料は、オフセットパターンで２つの絶縁ベース材料層のそれぞれの上にトレースされるか、適用されるか、または、その他の方法でパターン化され得り、任意の低抵抗材料を欠いた層のオーバーラップ部分が画定されるようになっている。導電性層の両方を横切るセンサーの一部分にわたって低抵抗材料を欠いたボイド・スペースは、２つの導電性層が互いに接触した状態にさせられるときに、２つの導電性層の上の低抵抗材料の間の電流の流れが高抵抗材料を通して方向付けられるように強制する。
【００２９】
センサーの第１の低抵抗材料と第２の低抵抗材料との間の回路の中の高抵抗材料は、漂遊インピーダンスおよびリード抵抗の変化のセンサー信号に対する影響を緩和することが可能である。これらの影響を緩和することは、両方の低抵抗材料を含む回路の抵抗または他の電気的な特性の変化に対するセンサーの感度を増加させることが可能である。また、高抵抗センサーは、センサー・ヒステリシスを緩和することが可能であり、印加される力の範囲にわたるセンサーの分解能を増加させることが可能である。
【００３０】
図１は、検出システム５０のブロック図を示しており、そこでは、検出システムは、電源５によって給電されるセンサー・システム１０および送信モジュール５４を含む。センサー・システム１０は、送信モジュール５４と電子的な通信をした状態になっており、送信モジュール５４は、コンピューティング・デバイス６０にデータ５６を送信する。コンピューティング・デバイス６０は、データ５６を処理し、データ５６は、次いで、表示され、ユーザーに通信され、記憶され、随意的に、送信モジュール５４にフィードバックされ得る。送信デバイスは、ケーブルを介してまたはワイヤレスに、コンピューティング・デバイス６０にデータ５６を送信することが可能である。電源５は、センサー・システム１０および送信モジュール５４に給電するバッテリーであることが可能である。電源５は、センサー・システム１０および送信モジュール５４に給電するバッテリーであることが可能である。電源５からの電流は、センサー・システム１０を通して送られ得り、結果として生じる出力電流は、たとえば、Ｖｉｂｅｒｇらによる国際特許出願ＰＣＴ／ＣＡ２０１９／０５０２２９に説明されているものなど、たとえば関連の刺激変化からの抵抗を決定するために読み取られ得る。
【００３１】
図２は、第１の層３０および第２の層４０を含むセンサー・システム１０を示しており、第１の高抵抗材料、第２の高抵抗材料、およびスペーサーは示されていない。センサー・システム１０は、ベース材料１２の上に配設されている複数のセンサー２０を含む。ベース材料１２は、任意の適切な可撓性の絶縁材料（たとえば、グリコール変性ポリエチレンテレフタレート、ポリイミド、ポリエステルなど）から製造され得り、または、力または他の刺激を印加すると屈曲および変形することができる任意の他の寸法的に安定したプリント可能な電気的な絶縁材料から製造され得る。センサー２０は、第１のトレース１３および第２のトレース１４によって互いに接続されている。第１のトレース１３および第２のトレース１４は、低抵抗材料（たとえば銅、銀、金、銅、導電性インク、耐熱性インクなど）から調製され得る。センサー２０は、行および列アドレッシング・スキーム（図示せず）を使用して個々のアドレッシングを可能にするアレイで配設され得り、または、それらは、センサー・システム１０の中で並列に構成され得る。図２は、ベース材料１２および保護材料１８の層の下の２×１アレイのセンサー２０を示している。センサー２０は、行に関して第１のトレース１３を介して第１の層の中で接続されており、列に関して「Ｙ字」形状の第２のトレース１４を介して第２の層の中で接続されている。第１のトレース１３および第２のトレース１４は、センサー・システム１０の外部にデータを提供するために出力インターフェース１６と接続されている。保護材料１８は、ベース材料１２、第１の高抵抗材料（図示せず）、第２の高抵抗材料（図示せず）、スペーサー（図示せず）、センサー２０、第１のトレース１３、および第２のトレース１４を保護するために、ベース材料１２に適用され得る。保護材料１８は、センサー・システム１０の一方または両方の表面に適用され得る。保護材料１８は、センサー・システム１０全体またはその一部分を包含することが可能である。保護材料１８は、アルミニウムなどのような金属、または、センサー・システム１０へのおよびセンサー・システム１０からのガスおよび／または流体の透過を低減させる任意の他の適切な材料から構築され得る。保護材料１８は、積層されたフォイルであるか、または、蒸着によって適用されたフォイルであることが可能であり、センサー・システム１０は、シーリングの前に真空にされ得る。保護材料１８は、代替的に、炭素繊維もしくはＫｅｖｌａｒ（登録商標）から製造され得り、または、過度の高圧、折り目、屈曲に起因する損傷からセンサーを保護するための任意の材料から製造され得る。
【００３２】
図３は、図２の軸線３−３に沿ったセンサー２０の断面図を示している。図３は、第１の高抵抗材料３４（図２に示されていない）、第２の高抵抗層４４（図２に示されていない）、および、センサー２０の周辺のスペーサー２４（図２に示されていない）を示している。図３は、第１の層３０を示しており、第１の層３０は、ベース材料１２および第１の低抵抗材料３２を含み、接続された第１の高抵抗材料３４を備えている。第２の層４０は、ベース材料１２および第２の低抵抗材料４２を含み、それは、接続された第２の高抵抗材料４４を有している。センサー２０の周辺のスペーサー２４は、ベース材料１２の２つの層の間に配設されている。第１の高抵抗材料３４と第２の高抵抗材料４４との間にギャップ２２が存在している。保護材料１８は、ベース材料１２の外側層を保護している。この実施形態では、第１の低抵抗材料３２および第２の低抵抗材料４２は、センサー２０の垂直方向の平面の中においてオーバーラップしていない。
【００３３】
図４において、図３のセンサー２０は、力Ｆを受けており、第１の高抵抗材料３４を第２の高抵抗材料４４と接触した状態に設置し、回路を閉じ、出力インターフェース１６（図２を参照）において出力されることとなる信号を発生させる。同様の効果が、温度の変化によってもたらされる寸法変化に起因して、第２の層に向けて第１の層を促すことから結果として生じる可能性がある。たとえば、温度の上昇は、センサー・システム１０のエレメントの膨張差を引き起こす可能性があり、それは、センサー・システム１０の変形につながる可能性がある（低抵抗トレースの中に使用されている低抵抗材料は、センサー・システム１０の中の他の材料よりも多く膨張することが可能である）。保護材料１８は、両方の側面においてセンサー・システム１０を取り囲み、センサー２０およびベース材料１２を外部環境から隔離することが可能であり、または、センサー・パッケージ１０の一方の面だけに存在していてもよい。それぞれのセンサー２０は、第１の層３０および第２の層４０を含む。第１の層３０および第２の層４０の両方は、ベース材料１２を含む。第１の層３０は、第１のトレース１３と電気的に連絡しており、第２の層４０は、第２のトレース１４と電気的に連絡している。第１の層３０は、ギャップ２２によって第２の層４０から分離されている。ギャップ２２は、空気によって充填され、大気に開放されていてもよく、または、流体（たとえば、空気、窒素、ガス、水、油、ゲルなど）もしくは任意の他の圧縮性物質（たとえば、フォームなど）を含む閉じた環境であってもよい。
【００３４】
ギャップ２２は、スペーサー２４によって維持されている。スペーサー２４は、誘電体または別の絶縁材料であることが可能であり、第１の層３０と第２の層４０との間の電気的接触を防止する。また、スペーサー２４は、ベース材料をベース材料の第２の層に結合するための接着剤材料を含むことが可能であり、または、層エレメントのうちのいずれかを互いに結合するために使用される任意の接着剤材料を含むことが可能である。センサー・システム１０が、印加された力、温度変化、または、第１の層３０を第２の層４０に向けて促す他の効果を受けていないときに、スペーサー２４は、第１の層３０が第２の層４０と接触することを防止する。力、温度変化、または他の効果がセンサー・システム１０に印加されるとき、第１の層３０および第２の層４０は、互いに向けて屈曲する。第１の層３０および第２の層４０が、ギャップ２２を横切って接触するのに十分に互いに向けて屈曲するときには、第１の層３０および第２の層４０を含む回路が完成される。結果として、力または別の刺激がセンサー２０に印加されるとき、第１の層３０は、ギャップ２２を通して第２の層４０と接触することが可能であり、信号を発生させるためのセンサー２０の電気的な特質を変化させる。
【００３５】
第１の層３０は、第１の低抵抗材料３２および第１の高抵抗材料３４を含む。第２の層４０は、第２の低抵抗材料４２および第２の高抵抗材料４４を含む。第１の低抵抗材料３２は、ベース材料１２の上にパターン化されており、第１の低抵抗材料３２が第２の低抵抗材料４２とオーバーラップしないようになっている。第１の低抵抗材料３２および第２の低抵抗材料４２は、任意の適切な低抵抗材料（たとえば、銅、銀、金、銅、導電性インクなど）であることが可能である。第１の高抵抗材料３４および第２の高抵抗材料４４は、第１の低抵抗材料３２および第２の低抵抗材料４２（たとえば、圧電材料、ピエゾ抵抗材料、力センシング材料、力センシング抵抗器、力抵抗インクなど）のそれぞれよりも高い抵抗を有する任意の適切な導電性材料を含むことが可能である。
【００３６】
図５は、導電性層のオフセット性質を図示する目的のために第１の高抵抗材料３４および第２の高抵抗材料４４が除去された状態のセンサー・システム１０のセンサー２０を示している。この図は、増加した抵抗センサー２０を示しており、そこでは、低抵抗導電性層の非オーバーラップが、対向する第１の層３０と第２の層４０との間にさらに高い抵抗を生成させる。この設計は、第１の層３０を通って垂直方向に、高抵抗材料（図示せず）を通って横方向に、次いで、第２の層４０を通って垂直方向に、電流が流れるように促し、それは、センサー２０を通って垂直方向に流れる経路よりも抵抗の大きい経路である。ハニカム構成は、黒い六角形の輪郭で示されている第１の層３０の第１の低抵抗材料３２のオフセットパターンの例である。第１の低抵抗材料３２は、第１のトレース１３に接続されている。第２の層４０の第２の低抵抗材料４２は、縞模様の六角形形状で示されており、第２のトレース１４に接続されている。六角形形状と六角形の輪郭との間の白いエリアは、低抵抗材料によって形成されたオフセットパターンである。高抵抗材料（図示せず）は、第１の層３０と第２の層４０との間に配設されている。
【００３７】
図６は、本開示によるセンサー１２０の別の実施形態の上部切り欠き図を示している。明確化の目的のために、図６は、高抵抗材料を示していない。この実施形態では、センサー１２０は、ベース材料１１２の上に分配された第１の層１３０および第２の層１４０を含む。第１の層１３０および第２の層１４０は、図５のセンサー２０の第１の層３０および第２の層４０とは異なるトレーシング・パターンを有している。第１の層１３０および第２の層１４０の低抵抗材料は、交互の縞模様のパターンでオフセットされる。第１の低抵抗材料１３２は、第１のトレース１１３に接続されており、第２の低抵抗材料１４２は、第２のトレース１１４に接続されている。低抵抗材料によって形成されるストライプ同士の間の白いエリアは、トレースパターンのオフセットである。センサー２０と同様に、圧力、温度変化、または他の適切な刺激が印加されるとき、第１の層１３０は、第２の層１４０に接触し、回路を形成する。また、回路は、１つまたは複数の高抵抗層（図示せず）を含む。
【００３８】
図７は、本開示によるフットフォール検出システム２５０の概略の実施形態を示している。フットフォール検出システム２５０は、靴２５２の中にセンサー・システム２１０を含む。センサー・システム２１０は、インソール、矯正器具、または他のインサート（一時的にもしくは恒久的に靴２５２に固定されているか、または、その他の方法でフットフォール検出システム２５０の中へ一体化されている）の上、下、または中に含まれ得る。センサー・システム２１０は、代替的に、履き物の外側に位置付けされ得り、床の上に配置され得るか、または、他のフットフォール検出システム２５０の中のマットの中へ一体化され得る。センサー・システム２１０は、送信モジュール２５４と電子的な通信をした状態になっている。センサー・システム２１０および送信モジュール２５４は、電源（図８の中の２０５）によって給電されている。送信モジュール２５４は、コンピューティング・デバイス２６０（たとえば、ラップトップ・コンピューター、スマート・ウォッチ、スマートフォン、タブレット、クラウド・ベースのサーバーなど）にデータ２５６を送信する。コンピューティング・デバイス２６０は、データ２５６を処理するための処理モジュール２６２を含む。処理されたデータは、表示されるか、または、他の方法で通信モジュール２６６を介してユーザーに通信され、ストレージ・モジュール２６４の中に記憶され得り、または、その両方である。
【００３９】
図８は、図７のフットフォール検出システム２５０のブロック図を示している。フットフォール検出システム２５０は、電源２０５によって給電されるセンサー・システム２１０および送信モジュール２５４を含む。センサー・システム２１０は、送信モジュール２５４と電子的な通信をした状態になっており、送信モジュール２５４は、コンピューティング・デバイス２６０（たとえば、ラップトップ・コンピューター、スマート・ウォッチ、スマートフォン、タブレット、クラウド・ベースのサーバーなど）にデータ２５６を送信する。コンピューティング・デバイス２６０は、データ２５６を処理し、データ２５６は、次いで、表示され得り、または、その他の方法でユーザーに通信され、記憶され、随意的に、キャリブレーションのために送信モジュール２５４にフィードバックされ得る。
【００４０】
図９は、高抵抗材料が除去された状態で開かれたセンサー・システム２１０の第１の層２３０および第２の層２４０の平面図を示している。層２３０および２４０の輪郭は、足の輪郭の鏡像になっている。ベース材料２１２は、第１の層２３０および第２の層２４０の両方に関して見ることができる。センサー２２０は、第１の低抵抗材料２３２に関して、および、同様に、第２の低抵抗材料２４２に関して、２つのパターン変形例のアレイで示されている。センサー２２０のうちのいくつかは、図５のセンサー２０のパターンにしたがっているが、他のものは、図６のセンサー１２０のパターンにしたがっている。このセンサー・システム２１０を動作させるために、第１の層２３０および第２の層１４０は、高抵抗材料の層（図示せず）によって挟まれている。第１の層２３０の低抵抗材料トレースは、第１のリード２１３と接続されており、第２の層２４０の低抵抗材料トレースは、第２のリード２１４に接続されている。図９の黒い線は、電気的なトレースを示しており、白いエリア２２１は、電気接続性の分断を示している。トレース２１３および２１４の両方が、出力インターフェース２１６と接続されている。センサー２２０は、フット・アレイの一方の側では「行」にしたがって、および、他方の側では「列」にしたがって、グループで一緒にクラスター化されている。このように、いずれの２つのセンサーも同じ行および列に接続されておらず、また、行に電流を印加することによって、および、列の抵抗測定値を読み取ることによって、一方のセンサーから他方のセンサーを完全に隔離することが可能である。これは、センサー・システム６２０全体にわたって分解能を増加させる。それぞれのセンサーは、すべての他のセンサーから電気的に隔離された状態のままでありながら、特定の場所において圧力を測定することが可能であり、それらの抵抗が、関心のセンサーにおける読み取りに影響を与えないようになっている。
【００４１】
図１０は、本開示によるセンサーの別の実施形態の断面図を示している。センサー３２０の中には、第２の高抵抗材料３４４が提供されており、第１の高抵抗材料は提供されていない。
【００４２】
図１１は、本開示による別の実施形態のセンサーの断面図を示している。センサー４２０の中には、第１の層４３０または第２の層４４０のいずれかに結合された高抵抗材料は存在していない。高抵抗材料は、第１の層４３０と第２の層４４０との間に位置決めされている別個の高抵抗部材４２６によって提供されている。
【００４３】
図１２は、センサー本開示による別の実施形態の断面図を示している。センサー５２０の中では、低抵抗材料５３２および低抵抗材料５４４のパターンは、低抵抗材料５３２および低抵抗材料５４４が互いにオーバーラップするようになっている。このセンサー配置は、より高いおよびより低い抵抗率の経路の閾値を介した圧力の検出のために使用され得る。
【００４４】
図１３は、本開示によるセンサーの別の実施形態の断面図を示している。センサー６２０は、力アクチュエーター６７０を含む。力アクチュエーターは、外力がそのエリアに印加されているときに、センサーのより良好な作動を可能にすることができる。力アクチュエーターは、力コンセントレーターおよび適合層を含む、さまざまな構成で提供され得る。センサー６２０において、力アクチュエーター６７０は、力コンセントレーター６７３になるように構成されている。力コンセントレーター６７３は、印加された力をセンシング・エリアの上に集中させるために使用され得る。力コンセントレーター６７３は、可撓性の材料の層を含むが、代替的に、剛体材料の層であることが可能である。力コンセントレーター６７３は、垂直方向にセンサーと一致するように構成されている。力コンセントレーター６７３は、センサー６２０のフットプリントよりも面積が小さくなっていることが可能であり、それは、スペーサー６２４によって確立されているセンサー壁部の境界の中にフィットしている。力コンセントレーター６７３は、圧力ポイント（印加された力がその上に方向付けられる）として作用することによって機能し、力が非センシング・エレメント（たとえば、スペーサー６２４などのようなセンシング・エレメントの壁部など）の上に分散されることを可能にするというよりもむしろ、力コンセントレーター６７３を通してセンサー６２０に直接的に力を伝達する。力コンセントレーターは、センシング・エレメントの層の上方、下方、または間に設置され得る。
【００４５】
図１４は、本開示によるセンサーの別の実施形態の断面図を示している。センサー７２０は、力アクチュエーター７７０を含む。力アクチュエーター７７０は、低抵抗エレメント７３２および７４２とオーバーラップしている、第１の層７３０の上方に配設された力コンセントレーター７７３として構成されている。
【００４６】
図１５は、本開示によるセンサーの別の実施形態の断面図を示している。センサー８２０は、力アクチュエーター８７０を含む。力アクチュエーター８７０は、高抵抗材料８２６の中に、ならびに、低抵抗材料８３２および８４２のパターンの中に、第１の層８３０と第２の層８４０との間に配設された力コンセントレーター８７３として構成されている。
【００４７】
図１６は、本開示によるセンサーの別の実施形態の断面図を示している。センサー９２０は、力アクチュエーター９７０を含む。力アクチュエーター９７０は、第１の層９３０の上方に配設された適合層９７７として構成されている。適合層９７０は、センサーの形状に適合するように使用され得り、センシング・エレメントへの力の伝達を可能にする。適合層は、センサーの上に座ることが可能である。力がセンサーおよびセンシング・エレメントに印加されるとき、ベース材料層９１２は、互いに向けて、および、印加された力から離れるように屈曲する。そのような状況では、力は、次いで、センサーの壁部、スペーサー９２４の上に集中され得り、追加的な力がセンシング・エレメントを通って伝達することを防止する。適合層の例は、センサーの上に座っている発泡体層であることとなる。しかし、適合層は、任意の弾性的な材料、たとえば、ウレタン、Ｓｏｒｂｏｔｈａｎｅ（登録商標）などから製造され得る。
【００４８】
図１７は、力Ｆがセンサー９２０に印加された状態の図１６のセンサーの断面図を示している。適合層９７０は、変形の全体にわたって高抵抗材料によって輪郭決めされた表面と接触したままになっていることによって、印加された力を下層のセンシング・エレメントに方向付けるように働くことが可能である。
【００４９】
図１８は、第１の高抵抗材料１０３４および第２の高抵抗材料１０４４が接触している状態のセンサー１０２０の断面を示している。他の高抵抗センサー設計は、本質的に、活性化閾値圧力を有しており、活性化閾値圧力の下では、圧力が測定されることができない。この活性化閾値は、センサーの構成に起因している。２つの対向する第１および第２の低抵抗層を分離する空気ギャップは、これらの２つの対向するセンシング層が空気ギャップを通って互いに接触することとなる前に、何らかの有限の量の圧力が、センサーに印加されるために必要とされるという状況を結果として生じさせる。圧力のこの量が、活性化閾値である。それは、空気ギャップ距離が最小化される場合には最小化され得り、空気ギャップが存在しない場合には完全に除去され得る。この後者のシナリオでは、２つの対向する層は、圧力がかかっていないシナリオの下でも触れている可能性がある。これは、圧力の印加を伴わないときでも、導電性経路を結果として生じさせる可能性がある。センサーへの圧力印加は、２つの対向する側面をより密接な接触に持って行くこととなり、接触している表面積の量を増加させ、力センシング抵抗器に関連付けられる公知の電気的な現象を可能にし、層同士の間の抵抗を低減させる。製作において、絶縁層が、インク層同士の間に設置され、センシング・エレメントの外側のエリアの中の層同士の間の電気的接触を防止することが可能であり、たとえば、上部導電トレースと底部導電トレースとの間の電気的接触を防止することが可能である。この絶縁層は、所定の有限の厚さを有している。したがって、高抵抗材料層を分離する専用のスペーサー・コンポーネントがなくても、それらの間に有限の厚さが存在することとなり、空気ギャップを確立し、有限の活性化閾値を結果として生じさせる。
【００５０】
この望ましくないスペーサー厚さを打ち消すための１つの方法は、層同士の間の空気を意図的に排出し、センシング層同士の間のスペースの中に真空を確立し、したがって、対向する側面を接触した状態に持って行くということであり得る。
【００５１】
空気を排出されたセンサーが、張力をセンシングするために使用され得る。対向する第１および第２の層の低抵抗材料が離れるように促されるとき、２つの導電性層の間の電気的な連絡の変化から結果として生じる信号変化が検出され得る。
【００５２】
高抵抗センサーの製造は、公知のプリンティング技法およびスクリーニング技法を使用して実施され得る。２つの対向するベース材料は、それらの上に設置された導電性低抵抗材料トレースを有することが可能である。ベース材料は、ポリエステル、ポリエチレンテレフタレート、または他のそのような材料を含む、ポリマー材料から作製され得る。低抵抗材料導電性トレースは、銀、銅、金、カーボンブラック・インク、または任意の他の導電性材料であることが可能である。導電性トレースは、プリンティング、スクリーニング、リソグラフィー、フォトリソグラフィー、または、導電性材料をベースに取り付ける任意の他の形態によって、ベース材料の上に設置され得る。次いで、力センシング抵抗材料（ＦＳＲ）が、ベース基材および導電性トレース層の上に設置される。ＦＳＲは、ベース基材、導電性層、または、その両方と直接的に接触していることが可能である。ＦＳＲは、公知の設置技法を使用して設置され、公知の設置技法は、プリンティング、スクリーニング、スプレーイング、リソグラフィー、フォトリソグラフィー、または他の設置方法を含むことが可能である。誘電材料が、導電性層およびベース基材層の上に設置され得る。
【００５３】
次いで、２つの対向する層は、互いに向かい合った状態で、互いに接触した状態に設置され得る。対向する層は、接着剤層によって接触した状態に設置され得る。接着剤層は、２つの層の間のスペーサーとして作用し、２つの層の間に空気ギャップを確立することが可能である。ＦＳＲおよび接着剤層は、パターン化されたＦＳＲセクション同士の間に接着剤層が存在しないようにパターン化され、力センシング・エリアを確立することが可能であり、力センシング・エリアにおいて、対向する層からのＦＳＲが、印加された力または圧力の下で接触することが可能である。接着剤は、まばらなパターンで塗布され得り、対向する層を互いに接着するために使用される接着剤アンカーがほとんどないようになっており、接着剤がない無圧力シナリオの下で対向する層が接触することを可能にする。専用のスペーサー層が、２つの対向する層の間に設置され、接着剤によって２つの対向する層に接着され得る。
【００５４】
２つの対向する層は、超音波溶接、ヒート・ステーキング、接触溶接、または他の方法を含む、他の公知の技法を使用して、接着剤なしで接続され得る。これらの方法は、対向する層の間の接着剤などのような中間層の必要性なしの接触を可能にし、空気ギャップの確立を防止し、無圧力シナリオにおけるＦＳＲ層同士の間の接触を可能にすることができる。先行する説明では、説明の目的のために、多数の詳細が、実施形態の徹底的な理解を提供するために記述されている。しかし、これらの特定の詳細は必要とされないということが当業者に明らかになることとなる。
【００５５】
上記に説明された実施形態は、単なる例であることを意図している。代替例、修正例、および変形例は、本明細書に添付された特許請求の範囲のみによって定義される範囲から逸脱することなく、当業者によって、特定の実施形態に対して実現され得る。
【図１】
2021521451.tif 000003
【図２】
2021521451.tif 000004
【図３】
2021521451.tif 000005
【図４】
2021521451.tif 000006
【図５】
2021521451.tif 000007
【図６】
2021521451.tif 000008
【図７】
2021521451.tif 000009
【図８】
2021521451.tif 000010
【図９】
2021521451.tif 000011
【図１０】
2021521451.tif 000012
【図１１】
2021521451.tif 000013
【図１２】
2021521451.tif 000014
【図１３】
2021521451.tif 000015
【図１４】
2021521451.tif 000016
【図１５】
2021521451.tif 000017
【図１６】
2021521451.tif 000018
【図１７】
2021521451.tif 000019
【図１８】
2021521451.tif 000020
【国際調査報告】
2021521451.tif 000021
2021521451.tif 000022